(57)【要約】【課題】ボウル部のリム部からの水溢れの発生を防止して、洗浄性能を向上させることができる水洗大便器を提供する。【解決手段】本発明の水洗大便器１は、一定の大流量の洗浄水を所定時間継続して便器本体へ供給する給水装置４と、汚物受け面１６と、内周面２２を有するリム部１８と、を備えたボウル部８と、リム部の内周面に沿って洗浄水を吐水して旋回流を形成する第１リム吐水口２４と、リム部の内周面に沿って第１リム吐水部により形成される旋回流と同一方向に洗浄水を吐水する第２リム吐水口２６と、を有し、第２リム吐水口の直ぐ上流側の領域のリム部の内周面に第１リム吐水口から吐水された洗浄水Ｆ１の方向をガイドするガイド部９０が設けられ、このガイド部は、第１リム吐水口から吐水され第２リム吐水口に到達する洗浄水Ｆ１の方向と、第２リム吐水口から吐水される洗浄水Ｆ２の方向が、ほぼ同一方向となるように形成されている。【選択図】図１
2015178729.tif 000002
【特許請求の範囲】
【請求項１】
洗浄水を便器本体に供給して洗浄する水洗大便器であって、
一定の大流量の洗浄水を所定時間継続して便器本体へ供給する給水装置と、
ボウル形状の汚物受け面と、上縁に位置し内側に露出する内周面を有するリム部と、を備えたボウル部と、
上記リム部の内周面に沿って洗浄水を吐水して旋回流を形成する第１リム吐水部と、
上記リム部の内周面に沿って上記第１リム吐水部により形成される旋回流と同一方向に洗浄水を吐水する第２リム吐水部と、
上記給水装置からの洗浄水を第１リム吐水部に供給する第１通水路と、
上記給水装置からの洗浄水を第２リム吐水部に供給する第２通水路と、を有し、
上記第２リム吐水部の直ぐ上流側の領域の上記リム部の内周面に上記第１リム吐水部から吐水された洗浄水の方向をガイドするガイド部が設けられ、
このガイド部は、上記第１リム吐水部から吐水され上記第２リム吐水部に到達する洗浄水の方向と、上記第２リム吐水部から吐水される洗浄水の方向が、ほぼ同一方向となるように形成されていることを特徴とする水洗大便器。
【請求項２】
上記ガイド部は、上記リム部の内周面の一部により形成され、平面視で所定の角度だけ内側に屈曲したガイド壁面である請求項１に記載の水洗大便器。
【請求項３】
上記ガイド部のガイド壁面は、平面視で、上記第２吐水部近傍の上記第２通水路とほぼ同一方向に形成されている請求項２に記載の水洗大便器。
【請求項４】
上記第２吐水部の下流領域のリム部の内周面は、平面視で、上記ガイド部のガイド壁面とほぼ同一方向に形成されている請求項３に記載の何れか記載の水洗大便器。
【請求項５】
上記第２吐水部の下流領域のリム部の内周面の底部と、上記第２リム吐水部の直ぐ上流側の領域の上記リム部の内周面の底面とが、連続した平坦面で形成されている請求項１乃至４の何れか１項に記載の水洗大便器。
【請求項６】
上記ガイド部のガイド壁面の曲率半径は、平面視で、３０〜６０ｍｍである請求項２乃至５の何れか１項に記載の水洗大便器。
【請求項７】
上記ガイド部のガイド壁面の洗浄水の流れ方向に沿った長さは、３０〜８０ｍｍである請求項２乃至６の何れか１項に記載の水洗大便器。
【請求項８】
上記給水装置は、洗浄水を貯水する貯水タンクと、少なくともその一部が上記貯水タンク内で水没した状態で配置されたジェットポンプユニットを備えている請求項１乃至７に記載の水洗大便器。
【発明の詳細な説明】
【技術分野】
【０００１】
本発明は、水洗大便器に係り、特に、一定の大流量の洗浄水が所定時間継続して便器本体へ供給される水洗大便器に関する。
【背景技術】
【０００２】
従来から、便器の清掃性を向上させるために、便器のボウル部において、リム部を上方に向かってボウル部の内側空間へ張り出したオーバーハング形状により形成し、洗浄水をリム吐水口から水平方向へ吐水し、その洗浄水がリム部の内周面を旋回して、ボウル部のボウル面に流下させて洗浄するようにした水洗大便器が知られている。このような水洗大便器おいて、例えば、特許文献１に示されているように、第１リム吐水口に加えて第２リム吐水口が設けられ、これらの２つのリム吐水口から吐水される洗浄水によりボウル部を洗浄するものも知られている。
【０００３】
一方、例えば、特許文献２に示されているように、洗浄水を継続的に長時間便器に供給することができるジェットポンプ機構を備えた便器が知られている。
【先行技術文献】
【特許文献】
【０００４】
【特許文献１】特許第３８１７７３４号公報
【特許文献２】特開２００４−１５６３８２号公報
【発明の概要】
【発明が解決しようとする課題】
【０００５】
第１リム吐水口及び第２リム吐水口と、上方に向かってボウル部の内側空間へ張り出したオーバーハング形状により形成したリム部を有する水洗大便器に、上述したジェットポンプ機構等の洗浄水を継続的に長時間便器に供給する機構を用いると、第２リム吐水口の下流領域（ボウル部の後方領域）において第１リム吐水口から吐水された勢いのある洗浄水が第２リム吐水口から吐水された吐水された勢いのある洗浄水を押し上げて、水溢れが発生するといった問題が生じる。特に、洗浄水をリム吐水口のみから吐水する（ボウル部の下部に洗浄水を吐水するゼット吐水口が設けられていない）便器においは、リム吐水口から吐水する洗浄水量が増加するため、リム部から便器外への水溢れは顕著となり、問題である。
【０００６】
この水溢れを防止するために、第２リム吐水口の下流領域（ボウル部の後方領域）において、リム部のオーバーハング形状をきつくすることが考えられるが、このボウル部の後方領域では、弁座固定用穴と第２リム吐水口と繋がる通水路との間の距離が短く、リム部のオーバーハング形状をきつくすることに限界があるので、オーバーハング形状のみでは水溢れの発生を防止することができないような状況である。
【０００７】
本発明は、上述した従来技術の問題を解決するためになされたものであり、ボウル部のリム部からの水溢れの発生を防止することができ、さらに、洗浄性能を向上させることができる水洗大便器を提供することを目的としている。
【課題を解決するための手段】
【０００８】
上述した目的を達成するために、本発明は、洗浄水を便器本体に供給して洗浄する水洗大便器であって、一定の大流量の洗浄水を所定時間継続して便器本体へ供給する給水装置と、ボウル形状の汚物受け面と、上縁に位置し内側に露出する内周面を有するリム部と、を備えたボウル部と、リム部の内周面に沿って洗浄水を吐水して旋回流を形成する第１リム吐水部と、リム部の内周面に沿って第１リム吐水部により形成される旋回流と同一方向に洗浄水を吐水する第２リム吐水部と、給水装置からの洗浄水を第１リム吐水部に供給する第１通水路と、給水装置からの洗浄水を第２リム吐水部に供給する第２通水路と、を有し、第２リム吐水部の直ぐ上流側の領域のリム部の内周面に第１リム吐水部から吐水された洗浄水の方向をガイドするガイド部が設けられ、このガイド部は、第１リム吐水部から吐水され第２リム吐水部に到達する洗浄水の方向と、第２リム吐水部から吐水される洗浄水の方向が、ほぼ同一方向となるように形成されていることを特徴としている。
このように構成された本発明においては、給水装置により一定の大流量の洗浄水が所定時間継続して便器本体へ供給される場合であっても、第２リム吐水部の直ぐ上流側の領域のリム部の内周面に第１リム吐水部から吐水された洗浄水の方向をガイドするガイド部が設けられ、このガイド部が、第１リム吐水部から吐水され第２リム吐水部に到達する洗浄水の方向と、第２リム吐水部から吐水される洗浄水の方向が、ほぼ同一方向となるように形成されているので、第１リム吐水部から吐水され第２リム吐水部に到達する洗浄水と第２リム吐水部から吐水された洗浄水とがスムーズに合流し、両者が激しく衝突することがない。その結果、本発明によれば、第２リム吐水部の下流領域で水溢れが発生することを防止することができ、さらに、第２リム吐水部から吐水された洗浄水に第１リム吐水部からの洗浄水がスムーズに合流して、その合流した乱れが抑制された勢いのある洗浄水によりボウル部を洗浄することができ、洗浄性能を向上させることができる。
【０００９】
本発明は、好ましくは、ガイド部が、リム部の内周面の一部により形成され、平面視で所定の角度だけ内側に屈曲したガイド壁面である。
このように構成された本発明においては、ガイド部が、リム部の内周面の一部により形成され、平面視で所定の角度だけ内側に屈曲したガイド壁面であるので、第１リム吐水部から吐水された洗浄水の方向を乱れを抑制してスムーズに変えることができる。その結果、本発明によれば、第２リム吐水部から吐水された洗浄水に第１リム吐水部から吐水された洗浄水を、第２リム吐水部の下流領域で、よりスムーズに合流させることができ、第２リム吐水部の下流領域で水溢れが発生することを防止して、洗浄性能を向上させることができる。
【００１０】
本発明は、好ましくは、ガイド部のガイド壁面が、平面視で、第２吐水部近傍の第２通水路とほぼ同一方向に形成されている。
このように構成された本発明においては、第２リム吐水部から吐水される洗浄水の方向が第２通水路により確実に規定され、ガイド部のガイド壁面が、この第２通水路とほぼ同一方向に形成されているために、第２リム吐水部から吐水された洗浄水と第１リム吐水部から吐水された洗浄水を、第２リム吐水部の下流領域で、確実にスムーズに合流させることができる。この結果、本発明によれば、第２リム吐水部の下流領域で水溢れが発生することを防止することができ、洗浄性能を向上させることができる。
【００１１】
本発明は、好ましくは、第２吐水部の下流領域のリム部の内周面が、平面視で、ガイド部のガイド壁面とほぼ同一方向に形成されている。
このように構成された本発明においては、第２吐水部の下流領域のリム部の内周面が、平面視で、ガイド部のガイド壁面とほぼ同一方向に形成されているので、第２リム吐水部から吐水された洗浄水に第１リム吐水部から吐水された洗浄水が、第２リム吐水部の下流領域で合流した後も、スムーズに乱れが抑制された状態で流すことができるために、第２リム吐水部の下流領域で水溢れが発生することを防止することができ、洗浄性能を向上させることができる。
【００１２】
本発明は、好ましくは、第２吐水部の下流領域のリム部の内周面の底部と、第２リム吐水部の直ぐ上流側の領域のリム部の内周面の底面とが、連続した平坦面で形成されている。
このように構成された本発明においては、第２吐水部の下流領域のリム部の内周面の底部と、第２リム吐水部の直ぐ上流側の領域のリム部の内周面の底面とが、連続した平坦面で形成されているので、第２リム吐水部から吐水された洗浄水に第１リム吐水部から吐水された洗浄水が、第２リム吐水部の下流領域で合流する際に、リム部の内周面の底面から受ける乱れを抑制することができるため、第２リム吐水部から吐水された洗浄水に第１リム吐水部から吐水された洗浄水を、第２リム吐水部の下流領域で、よりスムーズに合流させることができる。この結果、本発明によれば、第２リム吐水部の下流領域で水溢れが発生することを防止することができ、洗浄性能を向上させることができる。
【００１３】
本発明は、好ましくは、ガイド部のガイド壁面の曲率半径が、平面視で、３０〜６０ｍｍである。
このように構成された本発明においては、ガイド部のガイド壁面の曲率半径は、平面視で、３０〜６０ｍｍである、第１リム吐水部から吐水された洗浄水の方向を乱れを抑制してスムーズに変えることができ、第２リム吐水部から吐水された洗浄水に第１リム吐水部から吐水された洗浄水を、第２リム吐水部の下流領域で、よりスムーズに合流させることができる。この結果、本発明によれば、第２リム吐水部の下流領域で水溢れが発生することを防止することができ、洗浄性能を向上させることができる。
【００１４】
本発明は、好ましくは、ガイド部のガイド壁面の洗浄水の流れ方向に沿った長さが、３０〜８０ｍｍである。
このように構成された本発明においては、ガイド部のガイド壁面の洗浄水の流れ方向に沿った長さは、１０〜２０ｍｍであるので、第１リム吐水部から吐水された洗浄水の乱れを抑制してスムーズに変えることができ、第１リム吐水部から吐水された洗浄水に第２リム吐水部から吐水された洗浄水を、第２リム吐水部の下流領域で、よりスムーズに合流させることができる。この結果、本発明によれば、第２リム吐水部の下流領域で水溢れが発生することを防止することができ、洗浄性能を向上させることができる。
【００１５】
本発明は、好ましくは、給水装置が、洗浄水を貯水する貯水タンクと、少なくともその一部が上記貯水タンク内で水没した状態で配置されたジェットポンプユニットを備えている。
このように構成された本発明においては、給水装置が、一定の大流量の洗浄水を所定時間継続して便器本体へ供給するジェットポンプユニットであっても、第２リム吐水部の下流領域で水溢れを防止しつつ洗浄性能を向上させることができる。また、節水化しても便器洗浄性能が良好となる。
【発明の効果】
【００１６】
本発明の水洗大便器によれば、ボウル部のリム部からの水溢れの発生を防止することができ、さらに、洗浄性能を向上させることができる。
【図面の簡単な説明】
【００１７】
【図１】本発明の実施形態による水洗大便器を示す平面図である。
【図２】図１のII−II線に沿って見た断面図である。
【図３】図１のIII−III線に沿って見た断面図である。
【図４】図１のIV−IV線に沿って見た断面図である。
【図５】図１のV−V線に沿って見た断面図である。
【図６】図１のVI−VI線に沿って見た断面図である。
【図７】本発明の実施形態による水洗大便器の給水装置を示す平面図である。
【図８】図７の正面図である。
【図９】図７の給水装置を示す概略正面図である。
【図１０】図７の給水装置により供給される洗浄水の瞬間流量と時間との関係を示す線図である。
【図１１】図２のXI−XI線に沿って見た部分断面図である。
【図１２】図１のXII−XII線に沿って見た部分断面図である。
【発明を実施するための形態】
【００１８】
次に、添付図面を参照して、本発明の実施形態による水洗大便器を説明する。先ず、図１乃至図６により、本発明の実施形態による水洗大便器の基本構造を説明する。図１は本発明の実施形態による水洗大便器を示す平面図であり、図２は図１のII−II線に沿って見た断面図であり、図３は図１のIII−III線に沿って見た断面図であり、図４は図１のIV−IV線に沿って見た断面図であり、図５は図１のV−V線に沿って見た断面図であり、図６は図１のVI−VI線に沿って見た断面図である。
【００１９】
本発明の実施形態による水洗大便器１は、床に設置された排水管（図示せず）に後述する排水管路が接続される床排水タイプの洗落し式水洗大便器である。
図１及び図２に示すように、水洗大便器１は、便器本体２と、この便器本体２に洗浄水を供給する給水装置４を備えている。便器本体２は、表面に釉薬層が形成された陶器製であり、下部にスカート部７が形成され、上半分のうち前方にボウル部８が形成され、後方上部にはその上流端が給水装置４に連通する共通通水路１０が形成され、さらに、後方下部に汚物を排出するための排水管路１２が形成されている。
【００２０】
上述した給水装置４は、貯水タンク５及び後述するジェットポンプユニット６を備えている。なお。本発明は、貯水タンクを持たず水道から直接洗浄水が供給される直圧式水洗大便器や、フラッシュバルブにより洗浄水が供給されるタイプの水洗大便器等にも適用できる。
【００２１】
ボウル部８は、ボウル形状の汚物受け面１６と、上縁に位置するリム部１８と、汚物受け面１６の下方に形成された凹部２０と、を備えている。ここで、リム部１８の内周面２２は、図２等に示すように、ボウル部８の内側空間に露出し且つ内側空間に向かって上方に延びる形状、具体的に言えば、内側に露出するオーバーハングした形状に形成されている。
【００２２】
ボウル部８のリム部１８の内周面２２の前方から見て左側の中央部の少し後方側に、洗浄水を吐水する第１リム吐水口２４が形成され、前方から見て右側後方側に、第２リム吐水口２６が形成されている。これらの第１リム吐水口２４及び第２リム吐水口２６は、それぞれ、洗浄水を同一方向（図１では反時計回りの方向）に吐水し、旋回流を形成するようになっている。
【００２３】
また、上述した水洗大便器１の後方上部に形成された共通通水路１０は、便器前方に向かって、第１通水路２８及び第２通水路３０に分岐している。第１通水路２８は、第１リム吐水口２４に洗浄水を供給するためのものであり、第２通水路３０は、第２リム吐水口２６に洗浄水を供給するためのものである。
【００２４】
上述した水洗大便器１においては、第１リム吐水口２４、第１通水路２８及び第２リム吐水口２６、第２通水路３０は、陶器製の便器本体２と一体に形成されているが、本実施形態による水洗大便器は、この形態に限られず、第１リム吐水口、第１通水路及び第２リム吐水口、第２通水路を便器本体とは別体のディストリビユータ等により形成するようにしても良い。
【００２５】
ここで、図３乃至図６に示すように、リム部１８の第１リム吐水口２４から第２リム吐水口２６までの領域は、その内周面２２に沿って洗浄水が流れる通水路となるように、上述したように、内側に向かってオーバーハングした形状に形成されている。
【００２６】
さらに、排水管路１２は、凹部２０の底面と接続しほぼ同一径（ほぼ同一断面形状）を有し且つ後方下方へ延びる導入管路３２と、この導水管路３２と接続し上方へ延びる排水トラップ管路３４と、を備えている。この導水管路３２は、入口３２ａを除く部分で、ほぼ同一径（ほぼ同一断面形状）を有し、管路内が同じ断面積となっている。また、排水トラップ管路３４は、上昇路３４ａと下降路３４ｂとから形成されている。
この導水管路３２は、凹部２０の底面と滑らかな連続湾曲面として繋がっており、凹部２０から導入管路３２に流入した洗浄水が導入管路３２内をスムーズに流れるようになっている。
【００２７】
次に、図７乃至図１０により、本発明の実施形態による水洗大便器１の給水装置４について説明する。図７は本発明の実施形態による水洗大便器の給水装置を示す平面図であり、図８は図７の正面図であり、図９は図７の給水装置を示す概略正面図であり、図１０は図７の給水装置により供給される洗浄水の瞬間流量と時間との関係を示す線図である。なお、図９において、便宜上、ジェットノズル及びスロート管の配置が図７及び図８に示されたものと異なる配置に描かれている。
【００２８】
水洗大便器１の給水装置４は、貯水タンク５と、この貯水タンク５に洗浄水を供給する給水管路３６と、この給水管路３６に設けられた給水弁装置３８と、この給水管路３６の下流端に設けられ便器本体２に洗浄水を供給するためのジェットポンプユニット６と、使用者が手動操作により洗浄水の給水を行うための手動レバー４０を備えている。
【００２９】
給水管路３６の上流端には、外部の給水源から供給される洗浄水を止水するための止水栓４１が設けられている。この止水栓４１は、通常使用時は開状態に保持されている。
【００３０】
ジェットポンプユニット６は、逆Ｖ字形状のスロート管４２と、ジェットノズル４４とを備えている。具体的には、スロート管４２の下流端が便器本体２の共通通水路１０に連通する排水口４５（図２参照）に接続され、その上流端には吸引口４２ａが形成され、この吸引口４２ａが貯水タンク５内の下部に位置するようになっている。さらに、スロート管４２の吸引口４２ａに対向するように、ジェットノズル４４が配置され、スロート管４２の吸引口４２ａとジェットノズル４４は、常時、貯水タンク５内で水没した状態となっている。
【００３１】
ジェットポンプ６は、ジェットノズル４４からスロート管４２の吸引口４２ａに向けて高速の洗浄水を噴射し、このとき、ジェットノズル４４に近いスロート管４２内の吸引口４２ａ近傍の空間が負圧となり、この負圧によりジェットポンプ作用（エジェクタ効果）を誘発させることにより、貯水タンク５内の近傍の洗浄水を吸引し、この洗浄水とジェットノズル４４から噴出される洗浄水とが一緒になり、スロート管４２内を流れ、排水口４５を経て、便器本体２の共通通水路１０に供給されるようになっている。
【００３２】
給水管路３６には、上述した給水弁装置３８以外に、給水弁装置３８の上流側に定流量弁４６が、下流側に真空破壊弁４８が設けられている。この定流量弁４６は、給水弁装置３８に供給される洗浄水を定流量とするためのものであり、真空破壊弁４８は、外部から空気を吸入して真空破壊弁４８からジェットノズル４４までの管路内が負圧にならないようにするためのものである。
【００３３】
給水弁装置３８は、パイロット式ダイアフラム弁であり、主弁座５０と、この主弁座５０に着座して止水する止水状態と主弁座５０から離間して給水する給水状態とを切り換えるダイアフラム弁である主弁体５２と、その内部の圧力により主弁体５２を主弁座５０に対して移動させる圧力室５４とを備えている。圧力室５４には、圧力室５４の圧力を開放する第一穴５６及び第二穴５８と、上述した手動レバー４０における使用者の手動操作と連動して第一穴５６を開閉する第一パイロット弁６０と、貯水タンク５内の洗浄水の水位に伴い上下動するフロート６２と、このフロート６２の上下動により第二穴５８を開閉する第二パイロット弁６４が設けられている。
【００３４】
また、主弁体５２には、ブリード穴（図示せず）が設けられており、止水状態のとき、ブリード穴により給水管路３６の一次側流路Ａと圧力室５４の内部とが連通するようになっている。ここで、第一穴５６は、その開口面積が第二穴５８の開口面積よりも大きく形成されている。また、第一穴５６は、第二穴５８よりも、図９に示すように、上方位置に形成されている。
【００３５】
第一パイロット弁６０は、駆動軸６５により手動レバー４０に接続され、使用者の手動レバー４０の手動操作により、第一穴５６を開閉するようになっている。ここで、手動レバー４０は、図８において、手前側（一方向）に回動操作させた場合には大洗浄がなされ、奥側（他方向）に回動操作させた場合には小洗浄がなされるようになっている。
【００３６】
この給水弁装置３８は、通常は止水状態であり、止水状態では、第一穴５６及び第二穴５８は共に塞がれており、且つ、給水管路３６の一次側流路Ａは圧力室５４とブリード穴を通じて連通しているため、一次側流路Ａと圧力室５４の水圧は同じ水圧（＝一次側流路圧力）、また二次側流路Ｂは大気開放となり、主弁体５２に水圧が作用する面積の方が一次側流路Ａの面積よりも大であるので、主弁体５２は主弁座５２に押付けられ閉じられている。
【００３７】
給水弁装置３８において、第一穴５６及び/又は第二穴５８が第一パイロット弁６０及び/又は第二パイロット弁６４により開放されると、圧力室５４から洗浄水が流出し、圧力室５４内の圧力が低下し、主弁体５２が主弁座５０から離れるように移動し、開弁し、吐水状態となる。
【００３８】
給水弁装置３８において、第一穴５６及び第二穴５８が第一パイロット弁６０及び第二パイロット弁６４により閉じられると、再度圧力室５４の圧力が一次側流路圧力となり、主弁体５２が主弁座５０に向けて移動し、最終的に閉弁された状態（止水状態）となる。なお、このとき、一次側流路Ａの洗浄水が、圧力室５４内へブリード穴から少しずつ注入されるため、第一穴５６及び第二穴５８を塞いでから、所定時間遅れて、主弁体５２が閉弁状態（止水状態）となるようになっている。
【００３９】
次に、図９に示すように、スロート管４２の下端近傍には、ジェット吐水とタンク貯水とを切換えるための切換弁６６と、この切換弁６６に取り付けられたフロート６８が設けられている。このフロート６８は、貯水タンク５内の水位により上下動するため、水位が低くなったときは、フロート６８も下降し、それにより、切換弁６６がスロート管４２内の流路を塞ぐようになっている。スロート管４２内の流路が塞がれた状態では、ジェットノズル４４から噴射された洗浄水は、切換弁６６に衝突し、スロート管４２内を流れることなく、貯水タンク５内に流れ、貯水タンク５内に貯水される。また、所定水位に達して貯水が完了すると、フロート６８も上昇し、それにより、切換弁６６がスロート管４２内の流路を開放するようになっている。スロート管４２内の流路を開放された状態では、ジェットノズル４４から噴射された洗浄水は、スロート管４２内を流れ、便器本体２に供給されるようになっている。
【００４０】
さらに、貯水タンク５内には、大洗浄及び小洗浄に必要な洗浄水量を切り換えるための大小洗浄切換機構７０が設けられている。この大小洗浄切換機構７０は、貯水タンク５内をジェットノズル４４及びスロート管４２の吸引口４２ａを取り囲む空間と他の空間とを仕切りその上方が開放されている仕切壁７２と、この仕切壁７２に形成された開口７４と、この開口７４を開閉するために仕切壁７２に取り付けられた開閉弁７６と、を備えている。
【００４１】
大小洗浄切換機構７０の開閉弁７６は、鎖７８により駆動軸６５に接続され、小洗浄のために、使用者により手動レバー４０が他方向に回動操作された場合に、鎖７８により開閉弁７６が引き上げされ、開閉弁７６により開口７４を閉じるようになっている。
【００４２】
次に、貯水タンク５内には、便器本体２を洗浄後に便器本体２に補給水を供給するため補給水供給パイプ８２が設けられている。この補給水供給パイプ８２の下方端８２ａはスロート管４２の下流側端に連通し、上方端８２ｂには補給水供給口８４が形成されている。
【００４３】
図９に示すように、貯水タンク５内の水位ＷＬは、以下の位置となる。水位ＷＬ１は仕切壁７２の開口７４の下端位置であり大洗浄が終了したときの水位を示し、水位ＷＬ２は仕切壁７２の上端位置であり小洗浄が終了したときの水位を示し、水位ＷＬ３は水洗大便器１の使用前又は使用後の通常の水位を示し、水位ＷＬ４は大洗浄又は小洗浄後に給水弁装置３８により貯水タンク３０内に洗浄水が給水されその後給水が停止した直後（且つ洗浄水補給前）の止水状態を示す水位である。
【００４４】
図１０に示されているように、ジェットポンプユニット６を備えた給水装置４は、一定の大流量の洗浄水を所定時間継続して便器本体２へ供給することができる。具体的に言えば、給水装置４は、例えば、瞬間流量８５Ｌ／分の洗浄水を４秒間継続して便器本体２へ供給するようになっている。なお、給水装置４による瞬間流量は、約６５Ｌ/分〜約８５Ｌ/分の範囲の大流量が好ましくは、また、約３秒〜約７秒継続して供給することが好ましい。
【００４５】
次に、図１、図２、図１１及び図１２により、本実施形態による水洗大便器１の便器本体２のボウル部８の構造を詳細に説明する。
図１に示すように、便器本体２のボウル部８には、上述したように、ボウル部８のリム部１８の内周面２２の前方から見て左側の中央部の少し後方側に、洗浄水を吐水する第１リム吐水口２４が形成され、前方から見て右側後方側に、第２リム吐水口２６が形成されている。これらの第１リム吐水口２４及び第２リム吐水口２６は、洗浄水を同一方向に吐水し、旋回流を形成するようになっている。
【００４６】
図１１及び図１２に示すように、第２リム吐水口２６の直ぐ上流側のリム部１８の内周面２２には、第１リム吐水口２４から吐水された洗浄水をガイドするガイド部９０が形成されている。このガイド部９０は、内周面２２の一部として形成されたガイド壁面９２を備えている。このガイド部９０のガイド壁面９２は、第１リム吐水口２４から吐水された洗浄水Ｆ１の方向が、第２リム吐水口２６から吐水された洗浄水Ｆ２の方向と、ほぼ同一方向（平面視で平行な方向）となるように形成されている。
【００４７】
より具体的に説明すると、ガイド壁面９２は、その上流側のリム部１８の内周面２２から、便器本体２の前後方向に延びる線Ａ（この線Ａは便器本体２の中心を前後方向に延びる中心線に平行）に対して、一定の角度α（１１０〜１４０度で、１２０度がより好ましい）だけ、内側に屈曲した形状となっている。
また、ガイド壁面９２は、平面視で、第２吐水口２６の近傍の第２通水路３０とほぼ同一方向（平面視で平行な方向）に形成されている。
【００４８】
また、ガイド壁面９２は、その上流側のリム部１８の内周面２２（曲率半径Ｒ１）と連続した形状であり、曲率半径Ｒ２の円弧形状の円弧部９２ａ及び先端部が直線形状の直線部９２ｂにより形成されている。具体的には、円弧部９２ａの曲率半径Ｒ２（＜Ｒ１）は、好ましくは３０ｍｍ〜６０ｍｍであり、４０ｍｍがより好ましい。また、曲率半径Ｒ２の円弧部９２ａ及び直線部９２ｂからなるガイド壁面９２の長さＬは、好ましくは３０〜８０ｍｍであり、５０〜６０ｍｍがより好ましい。
【００４９】
第２吐水口２６の下流領域（ボウル部８の後方領域）のリム部１８の内周面２２は、平面視で、ガイド壁面９２とほぼ同一方向（平面視で、平行な方向）に形成されている。
また、第２吐水口２６の下流領域（ボウル部８の後方領域）のリム部１８の内周面２２の底部２２ａ（汚物受け面１６の上端領域でもある）と、第１リム吐水口２４の直ぐ上流側のリム部１８の内周面２２の底部２２ａ（汚物受け面１６の上端領域でもある）とが、連続した平坦面（汚物受け面１６の上端領域）で形成されている。
【００５０】
次に、上述した本発明の実施形態による水洗大便器１による作用効果を説明する。先ず、使用者が給水装置４の手動レバー４０を操作すると、給水弁装置３８により外部の給水源から供給される洗浄水がジェットノズル４４に到達し、ジェットノズル４４から洗浄水がスロート管４２の吸引口４２ａに向けて噴射される。このとき、スロート管４１２の吸引口４２ａ付近は負圧となるので、貯水タンク５内に貯水された洗浄水もスロート管４２内に吸引され、給水装置４により外部から供給される洗浄水と貯水タンク５内に洗浄水が一緒になってスロート管４２内を流れ、便器本体１に供給され、ボウル部８の洗浄が開始される。このとき、給水装置４からは、図１０に示すように、一定の大流量の洗浄水が所定時間継続して便器本体２へ供給される。
【００５１】
便器本体１においては、第１リム吐水口２４は、洗浄水を前方に向けてほぼ水平方向に吐水し、第２リム吐水口２６は、洗浄水を後方に向けてほぼ水平方向に吐水し、同一方向（反時計回り）に旋回する旋回流を形成するようになっている。
【００５２】
第１リム吐水口２４から前方に吐水された洗浄水は、リム部１８の内周面２２の通水路に沿って流れ、ボウル部８の前端を通過して、反対側にある第２リム吐水口２６まで、到達する。一方、第２リム吐水口２６から吐水された洗浄水は、同様に、リム部１８の内周面２２の通水路に沿って流れ、同一方向に旋回する旋回流となる。
【００５３】
このとき、第１リム吐水口２４から吐水され第２リム吐水口２６の直ぐ上流側にあるガイド壁面９２に沿って流れる洗浄水Ｆ１の方向は、第２リム吐水口２６から吐水される洗浄水Ｆ２の方向とほぼ同じ方向になる（平面視で平行となる）。
【００５４】
上述した本発明の実施形態による水洗大便器１においては、給水装置４により一定の大流量の洗浄水が所定時間継続して便器本体２へ供給される場合であっても、第２リム吐水口２６の直ぐ上流側の領域のリム部１８の内周面２２に第１リム吐水口２４から吐水された洗浄水Ｆ１の方向をガイドするガイド部９０が設けられ、このガイド部９０が、第１リム吐水口２４から吐水され第２リム吐水口２６に到達する洗浄水Ｆ１の方向と、第２リム吐水口２６から吐水される洗浄水Ｆ２の方向が、ほぼ同一方向（平面視で平行となる）ように形成されているので、第１リム吐水口２４から吐水され第２リム吐水口２６に到達する洗浄水Ｆ１と第２リム吐水口２６から吐水された洗浄水Ｆ２とが、第２リム吐水口２６の下流領域（ボウル部８の後方領域）で、スムーズに合流し、両者が激しく衝突することがない。その結果、本実施形態による水洗大便器１によれば、第２リム吐水口２６の下流領域で水溢れが発生することを防止することができる。さらに、第２リム吐水口２６から吐水された洗浄水Ｆ２に第１リム吐水口２４からの洗浄水Ｆ１が、第２リム吐水口２６の下流領域で、スムーズに合流して、その合流した乱れが抑制された勢いのある洗浄水によりボウル部を洗浄することができ、洗浄性能を向上させることができる。
【００５５】
また、本実施形態による水洗大便器１においては、ガイド部９０が、リム部１８の内周面２２の一部により形成され、平面視で所定の角度だけ内側に屈曲したガイド壁面９２であるので、第１リム吐水口２４から吐水された洗浄水Ｆ１の方向を洗浄水の乱れを抑制してスムーズに変えることができる。
【００５６】
また、ガイド部９０のガイド壁面９２は、平面視で、第２吐水口２６近傍の第２通水路３０とほぼ同一方向に形成されているので、第２リム吐水口２６から吐水される洗浄水Ｆ２の方向が第２通水路３０により確実に規定され、ガイド部９０のガイド壁面９２が、この第２通水路３０とほぼ同一方向に形成されているために、第２リム吐水口２６から吐水された洗浄水Ｆ２と第１リム吐水口２４から吐水された洗浄水Ｆ１を、第２リム吐水口２６の下流領域で確実にスムーズに合流させることができる。
【００５７】
また、第２吐水口２６の下流領域のリム部１８の内周面２２は、平面視で、ガイド部９０のガイド壁面９２とほぼ同一方向に（ほぼ平行に）形成されているので、第２リム吐水口２６から吐水された洗浄水Ｆ２に第１リム吐水口から吐水された洗浄水Ｆ１が合流した後も、スムーズに乱れが抑制された状態で流すことができる。
【００５８】
また、第２吐水口２６の下流領域のリム部１８の内周面２２の底部２２ｂと、第２リム吐水口２６の直ぐ上流側の領域のリム部１８の内周面２２の底部２２ａとが、連続した平坦面で形成されているので、第２リム吐水口２６から吐水された洗浄水Ｆ２と第１リム吐水口２４から吐水された洗浄水Ｆ１とが合流する際に、リム部１８の内周面２２の底面２２ｂから受ける乱れを抑制することができるため、第２リム吐水口２６から吐水された洗浄水Ｆ２と第１リム吐水口２４から吐水された洗浄水Ｆ１を、第２リム吐水口２６の下流領域で、よりスムーズに合流させることができる。
【００５９】
さらに、本実施形態による水洗大便器１において、給水装置４が、一定の大流量の洗浄水を所定時間継続して便器本体へ供給するジェットポンプユニット６であっても、第２リム吐水口２６の下流領域で水溢れを防止しつつ洗浄性能を向上させることができる。また、節水化しても便器洗浄性能が良好となる。
【符号の説明】
【００６０】
１  水洗大便器
２  便器本体
４  給水装置
５  貯水タンク
６  ジェットポンプユニット
８  ボウル部
１６  汚物受け面
１８  リム部
２２  リム部の内周面
２２ａ  リム部の内周面の底部
２４  第１リム吐水口
２６  第２リム吐水口
２８  第１通水路
３０  第２通水路
９０  ガイド部
９２  ガイド壁面
Ｒ２  ガイド壁面の円弧部の曲率半径
Ｌ  ガイド壁面の長さ
α  ガイド壁面の屈曲角度
【図１】
2015178729.tif 000003
【図２】
2015178729.tif 000004
【図３】
2015178729.tif 000005
【図４】
2015178729.tif 000006
【図５】
2015178729.tif 000007
【図６】
2015178729.tif 000008
【図７】
2015178729.tif 000009
【図８】
2015178729.tif 000010
【図９】
2015178729.tif 000011
【図１０】
2015178729.tif 000012
【図１１】
2015178729.tif 000013
【図１２】
2015178729.tif 000014